(57)【要約】【課題】内部接続線を用いることなく回路基板及び端子部を電気的に接続することができ、部品点数の削減及び組立工程の簡略化を実現することができ、小型化及び低コスト化することができる撮像装置を提供する。【解決手段】撮像装置１のフロントケース４０にレンズ１５を保持する鏡筒１０を固定し、前面に撮像素子２０を搭載した回路基板２１を位置調整を行った後でフロントケース４０にねじ６０を用いて固定する構成とする。回路基板２１の後面には弾性を有する接点部２３を突設する。接続ケーブル２００を接続するためのコネクタ部３０が後面に設けられたリアケース５０の前面には、コネクタ部３０のオス端子３２と一体的に形成された電極部３３を設ける。フロントケース４０にリアケース５０を固定した場合、回路基板２１に突設された接点部２３がリアケース５０の電極部３３に当接し、回路基板２１及びオス端子３２が電気的に接続される。【選択図】図１
2008167279.tif 000002
【特許請求の範囲】
【請求項１】
レンズに対向配置される撮像素子が搭載された回路基板と、前記レンズ及び前記回路基板を収容する筐体と、該筐体に設けられ、外部機器との間で電気的接続を行う接続ケーブルを接続する端子部とを備え、前記回路基板及び前記端子部が電気的に接続してある撮像装置において、
前記回路基板に突設され、弾性を有する接点部と、
前記端子部に電気的に接続された電極部と
を備え、
前記接点部と前記電極部との当接により前記回路基板及び前記端子部を電気的に接続するようにしてあること
を特徴とする撮像装置。
【請求項２】
前記筐体は、前記レンズを保持する鏡筒が固定される前側部分、及び該前側部分に固定される後側部分を有し、
前記回路基板は、前記鏡筒又は前記前側部分に固定してあり、
前記端子部及び前記電極部は、前記後側部分に設けてあり、
前記前側部分及び前記後側部分を固定した場合に、前記接点部及び前記電極部が当接するようにしてある請求項１に記載の撮像装置。
【請求項３】
前記回路基板は、前記レンズの光軸の交差方向に固定位置を調整可能にしてあり、
前記電極部は、平板状をなし、前記前側部分に固定された前記回路基板に対向するように前記後側部分内に設けてあり、前記回路基板の固定位置の調整に伴って前記接点部が移動する移動範囲内で、前記接点部に当接可能な大きさにしてある請求項２に記載の撮像装置。
【請求項４】
前記端子部及び前記電極部は、一体的に形成してあり、
前記電極部が、前記後側部分内に設けてあり、
前記端子部が、前記後側部分の内部から外部へ露出するように設けてある請求項２又は請求項３に記載の撮像装置。
【請求項５】
レンズに対向配置される撮像素子が搭載された回路基板と、前記レンズ及び前記回路基板を収容する筐体と、該筐体に設けられ、外部機器との間で電気的接続を行う接続ケーブルを接続する端子部とを備え、前記回路基板及び前記端子部が電気的に接続してある撮像装置において、
前記回路基板に設けられた電極部と、
前記端子部に電気的に接続され、弾性を有する接点部と
を備え、
前記電極部と前記接点部との当接により前記回路基板及び前記端子部を電気的に接続するようにしてあること
を特徴とする撮像装置。
【発明の詳細な説明】
【技術分野】
【０００１】
本発明は、例えば車両に搭載されて車両の外界を撮像する場合などに用いられ、車両に搭載された他の装置に電気的接続用のケーブルを介して接続される撮像装置に関する。
【背景技術】
【０００２】
従来、車両に撮像装置を搭載して外界を撮像し、取得した画像を車内に設けられたディスプレイに表示することによって、運転者へ種々の情報を提供するシステムが実用化されている。例えば、車両の運転席から死角となる部分を撮像装置により撮像することによって、運転者が直接に目視できない部分をディスプレイに表示することができるため、事故を未然に防ぐことが可能となる。これらの撮像装置は例えば車両のバンパー近傍などに搭載されるため、車両の美観を損なうことがないように撮像装置はできるだけ小型であることが望まれる。
【０００３】
図８は、従来の撮像装置の構成を示す模式的断面図である。図において１００は、車両に搭載されて外界の撮像を行う車載用の撮像装置である。撮像装置１００は、車両に搭載されたＥＣＵ（Ｅｌｅｃｔｒｏｎｉｃ  Ｃｏｎｔｒｏｌ  Ｕｎｉｔ）などの他の装置に接続ケーブル２００により接続してあり、接続ケーブル２００を介して電力が供給されると共に、撮像して取得した画像を他の装置へ送信するようにしてある。
【０００４】
撮像装置１００は、複数のレンズ１１５を保持する鏡筒１１０、ＣＣＤ又はＣＭＯＳ等で構成された撮像素子１２０、及び撮像素子１２０が搭載された回路基板１２１等を収容する略直方体形の筐体１０１を備えている。筐体１０１の一面（以下、前面という）には鏡筒１１０の一端部分が露出してあり、反対面（以下、後面という）には接続ケーブル２００を接続するためのコネクタ部１３０が設けてある。また、筐体１０１のその他の面（以下、側面という）は、前後方向の中央より若干後よりの位置で前後に分割してあり、筐体１０１をフロントケース１０２及びリアケース１０３に分離することができるようにしてある。なお、フロントケース１０２及びリアケース１０３は、図示しないねじを用いて固定されて、筐体１０１を構成するようにしてある。
【０００５】
筐体１０１の後面に設けられたコネクタ部１３０は、筐体１０１の後面から突出する複数の棒状のオス端子１３１と、これらを囲んで筐体１０１の後面に突設された四角筒状の周壁部１３２とを有している。接続ケーブル２００の一端には、撮像装置１００のコネクタ部１３０に接続するためのコネクタ部２１０が設けてあり、コネクタ部２１０はオス端子１３１に嵌合する凹部が形成された複数のメス端子２１１と、これらを囲む有底四角筒状をなし、撮像装置１００のコネクタ部１３０の周壁部１３２に外嵌するコネクタハウジング２１２とを有している。撮像装置１００のオス端子１３１及び接続ケーブル２００のメス端子２１１を嵌合させると共に、周壁部１３２及びコネクタハウジング２１２を嵌合させることにより、撮像装置１００及び接続ケーブル２００を電気的且つ物理的に接続することができるようにしてある。
【０００６】
フロントケース１０２は、鏡筒１１０が固定してあると共に、撮像素子１２０が搭載された回路基板１２１を固定するための基板固定部１０４が形成してある。基板固定部１０４は、フロントケース１０２の内側面に複数突設してあり、それぞれに図示しないねじ穴が形成してある。回路基板１２１の適宜の位置には複数の貫通孔が形成してあり、複数のねじ１４１を回路基板１２１の貫通孔を通して基板固定部１０４のねじ穴に螺合させることで、回路基板１２１をフロントケース１０２に固定するようにしてある。また、回路基板１２１を基板固定部１０４に固定した場合、撮像素子１２０は鏡筒１１０に保持された
レンズ１１５に対向して配されるようにしてある。回路基板１２１に形成された貫通孔はねじ１４１の軸部分より若干大きくしてあり、レンズ１１５の光軸に略直交する方向に関して、レンズ１１５に対する回路基板１２１の位置を調整した後に、回路基板１２１の固定を行うことができるようにしてある。
【０００７】
回路基板１２１の撮像素子１２０が搭載された面の反対面には、コネクタ部１３０のオス端子１３１に接続された内部接続線１４５を接続するためのコネクタ１２２が搭載してあり、回路基板１２１及びオス端子１３１を内部接続線１４５を介して電気的に接続するようにしてある。撮像装置１００を組み立てる場合には、まずレンズ１１５を保持した鏡筒１１０をフロントケース１０２に固定し、レンズ１１５及び撮像素子１２０の位置調整を行った後で回路基板１２１をフロントケース１０２の基板固定部１０４にねじ１４１を用いて固定する。次いで、リアケース１０３に設けられたオス端子１３１に接続された内部接続線１４５を回路基板１２１のコネクタ１２２に接続した後に、リアケース１０３をフロントケース１０２にねじ止めする。以上により、撮像装置１００の組み立てが完了し、撮像装置１００を車両に搭載して接続ケーブル２００を接続することによって、車内のディスプレイに撮像装置１００が撮像した画像を表示することができる。
【０００８】
特許文献１においては、単一のケースの内部に、左右側方領域の各画像を撮像する撮像ユニットと、この撮像ユニットを駆動制御する回路ユニットと、前方領域を撮像する撮像ユニットと、この撮像ユニットを駆動制御する回路ユニットとを備え、２つの回路ユニットから出力する画像信号を伝送する画像信号伝送線と、電力を供給する電力供給線とを一つに束ねてコネクタにより外部の配線ケーブルに接続する構成の車載撮像装置が提案されている。
【特許文献１】特開２００２−８４５３３号公報
【発明の開示】
【発明が解決しようとする課題】
【０００９】
図８に示した従来の撮像装置においては、フロントケース１０２に固定された回路基板１２１と、リアケース１０３に設けられたコネクタ部１３０のオス端子１３１とを内部接続線１４５を介して接続している。このため、筐体１０１内には内部接続線１４５を収容するための空間が必要となるため、筐体１０１の小型化を阻害するという問題があった。また、回路基板１２１には内部接続線１４５を接続するためのコネクタ１２２を搭載する必要がある。このため、コネクタ１２２及び内部接続線１４５の部品コストにより撮像装置１００のコストが増大するという問題があった。更に、撮像装置１００の組立工程にて、内部接続線１４５をコネクタ１２２に接続する工程が必要となるため、組立コストが増大するという問題があった。特許文献１に記載の車載撮像装置に関しても、回路ユニットとコネクタとの間を画像信号伝送線及び電力供給線で接続する構成であるため、同様の問題を有している。
【００１０】
内部接続線１４５を介さずに回路基板１２１にオス端子１３１を直接的に搭載した場合、上述の問題を解決することはできるが、コネクタ部１３０の形状は接続ケーブル２００のコネクタ部２１０の形状と共に規格として定められているため、回路基板１２１の固定位置をレンズ１１５に対して調整することができないという問題がある。よって、製造バラツキなどの要因によってレンズ１１５に対する撮像素子１２０の位置にズレが生じた場合であっても、回路基板１２１及びレンズ１１５の位置調整を行うことができないため、撮像装置１００を構成する各部品の製造精度を高める必要があり、撮像装置１００のコストが増大する虞がある。
【００１１】
本発明は、斯かる事情に鑑みてなされたものであって、その目的とするところは、回路基板に弾性を有する接点部を突設すると共に、接続ケーブルを接続するための端子部に電
極部を電気的に接続し、接点部を電極部に当接させて回路基板及び端子部を電気的に接続する構成とすることにより、内部接続線を用いることなく回路基板及び端子部を電気的に確実に接続することができる撮像装置を提供することにある。
【００１２】
また本発明の他の目的とするところは、レンズを保持する鏡筒又は鏡筒が固定された筐体の前側部分に回路基板を固定し、端子部及び電極部を筐体の後側部分に設け、前側部分及び後側部分を固定して接点部及び電極部を当接させる構成とすることにより、筐体の組み立てにより回路基板及び端子部を電気的に接続することができる撮像装置を提供することにある。
【００１３】
また本発明の他の目的とするところは、レンズの光軸の交差方向に回路基板の固定位置を調整可能とし、回路基板の固定位置の調整に伴って接点部が移動する移動範囲内で、接点部が電極部に当接可能な大きさに電極部を形成することで、レンズ及び撮像素子の位置調整と、内部接続線を用いない回路基板及び端子部の電気的な接続とを行うことができる撮像装置を提供することにある。
【００１４】
また本発明の他の目的とするところは、端子部及び電極部を一体的に形成し、電極部を後側部分内に設け、端子部を後側部分の内部から外部へ露出するように設ける構成とすることにより、端子部及び電極部の電気的接続を確実に行うことができ、端子部及び電極部と後側部分との組み立てを容易に行うことができる撮像装置を提供することにある。
【００１５】
また本発明の他の目的とするところは、回路基板に電極部を設けると共に、接続ケーブルを接続するための端子部に弾性を有する接点部を電気的に接続し、電極部及び接点部を当接させて回路基板及び端子部を電気的に接続する構成とすることにより、内部接続線を用いることなく回路基板及び端子部を電気的に確実に接続することができる撮像装置を提供することにある。
【課題を解決するための手段】
【００１６】
第１発明に係る撮像装置は、レンズに対向配置される撮像素子が搭載された回路基板と、前記レンズ及び前記回路基板を収容する筐体と、該筐体に設けられ、外部機器との間で電気的接続を行う接続ケーブルを接続する端子部とを備え、前記回路基板及び前記端子部が電気的に接続してある撮像装置において、前記回路基板に突設され、弾性を有する接点部と、前記端子部に電気的に接続された電極部とを備え、前記接点部と前記電極部との当接により前記回路基板及び前記端子部を電気的に接続するようにしてあることを特徴とする。
【００１７】
本発明においては、回路基板に突設された弾性を有する接点部を、端子部に電気的に接続された電極部に当接させることで、回路基板と端子部との電気的な接続を行う。接点部が端子部を弾性力により押圧するため、確実に当接させることができる。接点部及び端子部の当接のみで電気的接続を行うことができるため、組み立てが容易であり、接続に内部接続線を用いる必要がない。
【００１８】
また、第２発明に係る撮像装置は、前記筐体が、前記レンズを保持する鏡筒が固定される前側部分、及び該前側部分に固定される後側部分を有し、前記回路基板は、前記鏡筒又は前記前側部分に固定してあり、前記端子部及び前記電極部は、前記後側部分に設けてあり、前記前側部分及び前記後側部分を固定した場合に、前記接点部及び前記電極部が当接するようにしてあることを特徴とする。
【００１９】
本発明においては、筐体が前側部分及び後側部分に分割されている場合に、回路基板はレンズを保持する鏡筒又は鏡筒が固定された前側部分に固定する。また、端子部及び電極
部は後側部分に設ける。前側部分及び後側部分を固定して筐体を組み立てる際に、前側部分の回路基板に設けられた接点部を後側部分に設けられた電極に当接させて、回路基板及び端子部を電気的に接続する。よって、筐体の組み立てと、回路基板及び端子部の電気的な接続とを、撮像装置の組立工程の同じ工程で行うことができる。
【００２０】
また、第３発明に係る撮像装置は、前記回路基板が、前記レンズの光軸の交差方向に固定位置を調整可能にしてあり、前記電極部は、平板状をなし、前記前側部分に固定された前記回路基板に対向するように前記後側部分内に設けてあり、前記回路基板の固定位置の調整に伴って前記接点部が移動する移動範囲内で、前記接点部に当接可能な大きさにしてあることを特徴とする。
【００２１】
本発明においては、回路基板を筐体の前側部分に固定する場合に、レンズの光軸の交差方向に回路基板の固定位置を調整することができる構成とする。回路基板の固定位置を調整した場合には、回路基板に突設された接点部の位置が移動するが、後側部分に設けた電極部を、接点部の移動範囲内で接点部が電極部に当接できるように、この移動範囲をカバーする大きさに形成する。よって、回路基板の固定位置を調整してレンズに対する撮像素子の位置調整を行うことができ、且つ、位置調整を行った場合であっても回路基板及び端子部を電気的に確実に接続することができる。
【００２２】
また、第４発明に係る撮像装置は、前記端子部及び前記電極部が、一体的に形成してあり、前記電極部が、前記後側部分内に設けてあり、前記端子部が、前記後側部分の内部から外部へ露出するように設けてあることを特徴とする。
【００２３】
本発明においては、端子部及び電極部を金属材料などを用いて一体的に形成する。よって、撮像装置の組み立ての際に、端子部及び電極部の電気的な接続を行う必要がない。また、一体的に形成された端子部及び電極部のうち、電極部は後側部分内に設け、端子部は後側部分の内部から外部に露出させて設ける。よって、外部の機器と接続するための接続ケーブルなどを端子部に接続することができ、筐体内の回路基板に設けられた接点部を電極部に当接させることができる。
【００２４】
また、第５発明に係る撮像装置は、レンズに対向配置される撮像素子が搭載された回路基板と、前記レンズ及び前記回路基板を収容する筐体と、該筐体に設けられ、外部機器との間で電気的接続を行う接続ケーブルを接続する端子部とを備え、前記回路基板及び前記端子部が電気的に接続してある撮像装置において、前記回路基板に設けられた電極部と、前記端子部に電気的に接続され、弾性を有する接点部とを備え、前記電極部と前記接点部との当接により前記回路基板及び前記端子部を電気的に接続するようにしてあることを特徴とする。
【００２５】
本発明においては、端子部に電気的に接続された接点部を、回路基板に設けられた電極部に当接させることで、回路基板と端子部との電気的な接続を行う。この構成は、上述の撮像装置の構成にて、接点部及び電極部を設ける位置を逆にしたものであるが、この場合であっても上述の撮像装置と同様の作用及び効果を得ることができる。即ち、接点部が端子部を弾性力により押圧するため、接点部及び端子部を確実に当接させることができ、接点部及び端子部の当接のみで電気的接続を行うことができるため、組み立てが容易であり、接続に内部接続線を用いる必要がない。
【発明の効果】
【００２６】
第１発明による場合は、回路基板に弾性を有する接点部を突設し、端子部に電極部を電気的に接続し、接点部を電極部に当接させることで回路基板及び端子部の電気的な接続を行う構成とすることにより、回路基板及び端子部の接続に内部接続線を用いる必要がない
ため、撮像装置の部品コストを低減することができると共に、撮像装置を小型化することができる。また、接点部及び電極部の当接のみで回路基板及び端子部を電気的に接続でき、撮像装置の組み立てが容易であるため、撮像装置の組立コストを低減できる。よって、小型且つ安価な撮像装置を提供することができる。
【００２７】
また、第２発明による場合は、レンズを保持する鏡筒又は鏡筒が固定された前側部分に回路基板を固定し、端子部及び電極部を後側部分に設け、前側部分及び後側部分を固定して筐体を組み立てる際に、前側部分の回路基板に設けられた接点部を後側部分に設けられた電極に当接させて、回路基板及び端子部を電気的に接続する構成とすることにより、筐体の組み立てと、回路基板及び端子部の電気的な接続とを、撮像装置の組立工程の同じ工程で行うことができるため、撮像装置の組立工程を簡略化でき、組立コストをより低減することができる。
【００２８】
また、第３発明による場合は、レンズの光軸の交差方向に回路基板の固定位置を調整することができる構成とすると共に、回路基板の固定位置の調整に伴って接点部が移動する移動範囲内で、接点部が電極部に当接可能な大きさに電極部を形成する構成とすることにより、レンズ及び撮像素子の位置調整を行うことができるため、撮像装置の撮像精度を高めることができると共に、位置調整を行った場合であっても回路基板及び端子部を電気的に確実に接続することができるため、撮像装置の信頼性を高めることができる。
【００２９】
また、第４発明による場合は、端子部及び電極部を一体的に形成し、電極部を後側部分内に設け、端子部を後側部分の内部から外部へ露出するように設ける構成とすることにより、撮像装置の組み立ての際に端子部及び電極部の電気的な接続を行う必要がないため、撮像装置の組立工程を簡略化することができ、撮像装置のコストを低減できる。
【００３０】
また、第５発明による場合は、回路基板に電極部を設け、端子部に接点部を電気的に接続し、接点部を電極部に当接させることで端子部及び回路基板の電気的な接続を行う構成とすることにより、回路基板及び端子部の接続に内部接続線を用いる必要がないため、撮像装置の部品コストを低減することができると共に、撮像装置を小型化することができる。また、接点部及び電極部の当接のみで回路基板及び端子部を電気的に接続でき、撮像装置の組み立てが容易であるため、撮像装置の組立コストを低減できる。よって、小型且つ安価な撮像装置を提供することができる。
【発明を実施するための最良の形態】
【００３１】
以下、本発明をその実施の形態を示す図面に基づき具体的に説明する。図１は、本発明に係る撮像装置の構成を示す模式的断面図である。また、図２は、本発明に係る撮像装置の構成を示す模式的分解断面図であり、撮像装置を構成する複数の部品を分解して図示してある。図において１は、車両のバンパー近傍などに搭載されて車両の外界を撮像する車載用の撮像装置である。撮像装置１は、車両に搭載された各種の電子機器を制御するＥＣＵなどの他の装置に接続ケーブル２００を用いて接続され、接続ケーブル２００を介してバッテリなどからの電力が供給されると共に、撮像して取得した画像を例えばＮＴＳＣ（National Television Standards Committee）方式の信号で他の装置へ送信するようにしてある。
【００３２】
撮像装置１は、複数のレンズ１５と、これを保持する円筒状の鏡筒１０と、ＣＣＤ又はＣＭＯＳ等の撮像素子２０と、撮像素子２０を搭載した回路基板２１とを備えており、複数のレンズ１５により結像される像を撮像素子２０にて撮像するようにしてある。鏡筒１０及び回路基板２１は合成樹脂製の略直方体形をなす筐体２に収容され、鏡筒１０の一端部分は筐体２の一面（以下、前面という）から露出するようにしてある。また、筐体２の反対面（以下、後面という）には、接続ケーブル２００を接続するためのコネクタ部３０
が設けてある。筐体２のその他の４つの面（以下、側面という）は、前後方向の後よりの位置にて前後に分割してあり、筐体２をフロントケース４０及びリアケース５０に分離することができるようにしてある。なお、フロントケース４０及びリアケース５０は、ねじを用いて固定してもよく、接着剤を用いて固定してもよく、溶接により固定してもよく、又はその他の方法で固定してもよい。
【００３３】
図３は、本発明に係る撮像装置１のフロントケース４０の構成を示す模式図であり、（ａ）に後面図を示し、（ｂ）に側断面図を示し、（ｃ）に前面図を示してある。フロントケース４０は略四角筒形をなしており、前側には略円形の開口４１が形成してあり、後側には略正方形の開口４２が形成してある。略円形の開口４１には、レンズ１５を保持する円筒状の鏡筒１０を嵌合させることができるようにしてあり、鏡筒１０をねじ止め又は接着等の方法で固定するようにしてある。また、開口４１の内周面にねじ溝を形成し、これに螺合するねじ溝を鏡筒１０の外周面に形成することによって、鏡筒１０をフロントケース４０の開口４１に螺合させて固定する構成とすることもできる。
【００３４】
また、フロントケース４０の後側の内周面には、フロントケース４０の後端より若干内側の位置に、且つ、略正方形の開口４２の４つの角部分に対応する位置に、略矩形の板状をなす４つの回路基板固定部４３が内周面から軸心へ向けて突設してある。回路基板固定部４３には、フロントケース４０の軸心に平行な方向に、それぞれねじ穴４４が形成してあり、４つのねじ６０（図１及び図２に２つのみ図示してある）を用いて回路基板２１を固定することができるようにしてある。なお、フロントケース４０の後端から回路基板固定部４３までの距離は、回路基板２１の厚みより若干大きくしてある。
【００３５】
図４は、本発明に係る撮像装置１のリアケース５０の構成を示す模式図であり、（ａ）に後面図を示し、（ｂ）に側断面図を示し、（ｃ）に前面図を示してある。リアケース５０は、略正方形をなす後面板５１と、後面板５１の前面の周囲を囲んで枠状に設けられた周壁部５２とを有し、前側に略正方形の開口５３が形成された有底四角筒状をなしている。リアケース５０の開口５３はフロントケース４０の開口４２と略同じ大きさであり、周壁部５２の後面板５１からの高さは後述する電極部３３の厚さより若干高い程度である。
【００３６】
リアケース５０の後面板５１の後面には、略中央にコネクタ部３０が設けてある。コネクタ部３０は、後面板５１より小さい略正方形の筒状をなし、後面板５１から略垂直に後方に突出して設けられた周壁部３１と、周壁部３１に囲まれた空間内に、後面板５１から略垂直に後方に突出して設けられた棒状の４つのオス端子３２とを有している。オス端子３２は金属製であり、周壁部３１の突出量よりオス端子３２の突出量は若干小さくしてある。また、オス端子３２は、後面板５１を貫通して、後面板５１の前面に露出するようにしてある。後面板５１の前面には、略正方形の金属板である４つの電極部３３が着設してあり、後面板５１の前面に露出した４つのオス端子３２が、４つの電極部３３に略Ｌ字型の金属棒である接続部３４を介してそれぞれ接続してある。なお、オス端子３２、電極部３３及び接続部３４は一の金属材料から一体的に形成して作成されるものであるが、これらを別体として作成して溶接又は半田付け等の方法で接続してもよい。
【００３７】
接続ケーブル２００の一端には、撮像装置１の後面に設けられたコネクタ部３０に接続するためのコネクタ部２１０が設けてある。コネクタ部２１０は、撮像装置１のコネクタ部３０に設けられた４つのオス端子３２に嵌合する凹部が形成された金属製の４つのメス端子２１１と、メス端子２１１を囲む有底四角筒状をなし、撮像装置１のコネクタ部３０の周壁部３１に外嵌するコネクタハウジング２１２とを有している。撮像装置１のコネクタ部３０に設けられた４つのオス端子３２を接続ケーブル２００のコネクタ部２１０に設けられた４つのメス端子２１１に嵌合させると共に、コネクタ部３０の周壁部３１にコネクタ部２１０のコネクタハウジング２１２を外嵌させることにより、撮像装置１及び接続
ケーブル２００を電気的且つ物理的に接続することができるようにしてある。
【００３８】
図５は、本発明に係る撮像装置１の回路基板２１の構成を示す模式図であり、（ａ）に後面図を示し、（ｂ）に側断面図を示し、（ｃ）に前面図を示してある。回路基板２１は、略正方形の板状をなし、前面の略中央に撮像素子２０が搭載してある。また、回路基板２１の４つの角部分には、略円形の貫通孔２２がそれぞれ形成してあり、ねじ６０の軸部分を貫通孔２２にそれぞれ挿通してフロントケース４０の回路基板固定部４３に形成されたねじ穴４４に螺合させることにより、回路基板２１をフロントケース４０に固定するようにしてある。フロントケース４０に鏡筒１０を固定すると共に、回路基板２１をフロントケース４０の回路基板固定部４３に固定した場合、回路基板２１に搭載された撮像素子２０は鏡筒１０に保持されたレンズ１５に対向するようにしてある。貫通孔２２は、ねじ６０の軸部分及び回路基板固定部４３に形成されたねじ穴４４より大きく形成してあり、フロントケース４０の軸心に略垂直な平面内で回路基板２１の固定位置を変更できるようにしてある。これにより、撮像素子２０とレンズ１５との位置調整を行うことができるようにしてある。
【００３９】
また、図示は省略するが、回路基板２１には、撮像素子２０の他にも信号処理用のＩＣ、抵抗又はコンデンサ等の複数の電子部品が搭載してあり、撮像素子２０及びその他の電子部品は回路基板２１上に形成された配線パターンにより電気的に接続されて電気回路を構成している。回路基板２１の後面には、弾性を有する金属製の４つの接点部２３が突設してあり、４つの接点部２３がリアケース５０に設けられた４つの電極部３３にそれぞれ当接することによって、回路基板２１と端子部３０との電気的な接続を行うようにしてある。このため、回路基板２１の４つの接点部２３の配設位置は、リアケース５０をフロントケース４０に固定した場合に、電極部３３にそれぞれ対向する位置にしてある。
【００４０】
図６は、接点部２３の構成を示す側面図であり、１つの接点部２３についてのみ拡大して図示してある。また、（ａ）には接点部２３が電極部３３に当接していない状態を示し、（ｂ）には接点部２３が電極部３３に当接した状態を示してある。接点部２３は、細長の金属板を屈曲及び湾曲させて形成したものである。詳しくは、接点部２３は、略矩形をなして回路基板２１に半田付けなどの方法で固定されるベース部２３ａと、ベース部２３ａの一端に金属板を略垂直に屈曲させた態様で設けられた側壁部２３ｂと、側壁部２３ｂの端部を更に略垂直に屈曲させた態様で設けられた係止部２３ｃと、ベース部２３ａの他端に金属板を側壁部２３ｂと同じ方向へ略垂直に屈曲させ、側壁部２３ｂと対向する態様で設けられた側壁部２３ｄと、側壁部２３ｄの端部を外側へ凸の弓状に湾曲させた態様で設けられた湾曲部２３ｅと、湾曲部２３ｅの端部を屈曲させた態様で設けられた被係止部２３ｆとを有する構成である。
【００４１】
側壁部２３ｂの両端間の長さと側壁部２３ｄの両端間の長さは略等しくしてあり、側壁部２３ｂ及び側壁部２３ｄは略平行に設けてある。また、係止部２３ｃの両端間の長さはベース部２３ａの両端間の長さの１／３〜１／４程度の長さにしてあり、係止部２３ｃ及びベース部２３ａは略平行に対向して設けてある。湾曲部２３ｅは、凹面側がベース部２３ａに対向するように、外側へ凸に湾曲してあり、弓状をなす湾曲部２３ｅの弦部分の長さは、ベース部２３ａの両端間の長さの２／３〜３／４程度の長さにしてある。また、被係止部２３ｆの両端間の長さは、係止部２３ｃの両端間の長さより若干短い程度の長さにしてあり、湾曲部２３ｅは弾性を有し、湾曲状態から平板状態へ戻ろうとする復元力が働くため、湾曲部２３ｅの端部に設けられた被係止部２３ｆに係止部２３ｃが当接して係止するようにしてある。
【００４２】
接点部２３は、回路基板２１の後面にベース部２３ａを半田付けすることによって、接点部２３が回路基板２１から突出する態様で固定され、このとき突出端は湾曲部２３ｅで
ある。回路基板２１が固定されたフロントケース４０にリアケース５０を固定した場合、リアケース５０に設けられた電極部３３が接点部２３の湾曲部２３ｅに当接するようにしてあると共に、回路基板２１及び電極部３３の間の距離は接点部のベース部２３ａ及び湾曲部２３ｅの間の最大距離より小さくしてある。これにより、電極部３３が湾曲部２３ｅを押圧し、湾曲部２３ｅには押圧力に抗する復元力が働くため、電極部３３及び湾曲部２３ｅを接触させた状態を確実に保つことができる。また、回路基板２１は貫通孔２２の大きさで規定される範囲内でフロントケース４０に固定する位置を調整することができるようにしてあるが、回路基板２１の固定位置を調整した場合には、回路基板２１の後面に設けられた接点部２３の位置も移動する。このため、リアケース５０の電極部３３は、回路基板２１の固定位置の調整に伴って移動する接点部２３の移動範囲内で接点部２３と当接可能なように、移動範囲をカバーする大きさにしてある。よって、接点部２３及び電極部３３の電気的な接続を確実に行うことができ、回路基板２１及び端子部３０のオス端子３２の電気的な接続を確実に行うことができる。
【００４３】
本発明に係る撮像装置１の組み立てを行う場合には、まずフロントケース４０に鏡筒１０を固定し、次いでフロントケース４０にねじ６０を用いて回路基板２１を固定する。このとき、鏡筒１０のレンズ１５と回路基板２１の撮像素子２０との位置調整を行う。回路基板２１を位置調整して固定した後、フロントケース４０にリアケース５０を固定する。これにより、回路基板２１に設けられた接点部２３がリアケース５０の電極部３３に当接し、回路基板２１及びオス端子３２が電気的に接続される。以上により撮像装置１の組み立てが終了し、組み立て後の撮像装置１を例えば車両などに搭載して、接続ケーブル２００のコネクタ部２１０を撮像装置１のコネクタ部３０に接続することによって、車両の運転席近傍に配設された液晶ディスプレイなどに車両の外界の画像を表示することが可能となる。
【００４４】
以上の構成の撮像装置１においては、回路基板２１に突設した接点部２３とオス端子３２に一体的に設けられた電極部３３とを当接させることによって回路基板２１及びオス端子３２の電気的な接続を行う構成とすることにより、従来の撮像装置１００にて必要とした内部接続線１４５及びコネクタ１２２等を用いる必要がないため、部品点数を削減できると共に、撮像装置１の組立工程を簡略化することができる。また、接点部２３を弾性を有する部品とし、電極部３３が接点部２３に当接して押圧した状態でフロントケース４０及びリアケース５０を固定する構成とすることにより、接点部２３が電極部３３に確実に当接し、回路基板２１及びオス端子３２を電気的に確実に接続することができる。よって、従来の撮像装置１００と比較して、撮像装置１は小型化及び低コスト化を実現することができる。
【００４５】
なお、本実施の形態においては、撮像装置１を車両に搭載するための撮像装置としたが、これに限るものではなく、他の用途に用いる撮像装置であっても同様の構成を適用することができる。また、接点部２３の形状は図６に示すものに限るものではなく、例えば板バネのような弾性を有する他の形状の金属性部材を用いることができる。また、回路基板２１をフロントケース４０に固定する構成としたが、これに限るものではなく、例えば鏡筒１０に固定する構成としてもよい。また、撮像装置１のコネクタ部３０及び接続ケーブル２００のコネクタ部２１０の形状は図示のものに限らず、他の形状であってもよい。また、電極部３３の形状及び配置についても、図示のものに限らず、他の形状及び配置としてもよい。
【００４６】
（変形例）
図７は、本発明の変形例に係る撮像装置の構成を示す模式的断面図である。変形例に係る撮像装置３０１では、リアケース５０の前面に接点部３３３を前方へ突設し、回路基板２１の後面に電極部３２３を設け、フロントケース４０及びリアケース５０を固定した場
合に、リアケース５０の接点部３３３がフロントケース４０の電極部３２３に当接し、回路基板２１及びオス端子３２を電気的に接続するようにしてある。なお、接点部３３３は、図６に示した接点部２３と同じ構成である。このように、図１に示した撮像装置１とは逆の構成で、撮像装置３０１に接点部３３３及び電極部３２３を設けた場合であっても、撮像装置１と同様の効果を得ることができる。
【図面の簡単な説明】
【００４７】
【図１】本発明に係る撮像装置の構成を示す模式的断面図である。
【図２】本発明に係る撮像装置の構成を示す模式的分解断面図である。
【図３】本発明に係る撮像装置のフロントケースの構成を示す模式図である。
【図４】本発明に係る撮像装置のリアケースの構成を示す模式図である。
【図５】本発明に係る撮像装置の回路基板の構成を示す模式図である。
【図６】接点部の構成を示す側面図である。
【図７】本発明の変形例に係る撮像装置の構成を示す模式的断面図である。
【図８】従来の撮像装置の構成を示す模式的断面図である。
【符号の説明】
【００４８】
１  撮像装置
２  筐体
１０  鏡筒
１５  レンズ
２０  撮像素子
２１  回路基板
２２  貫通孔
２３  接点部
３０  コネクタ部
３２  オス端子
３３  電極部
３４  接続部
４０  フロントケース（前側部分）
４３  回路基板固定部
４４  ねじ穴
５０  リアケース（後側部分）
６０  ねじ
２００  接続ケーブル
２１０  コネクタ部
２１１  メス端子
【図１】
2008167279.tif 000003
【図２】
2008167279.tif 000004
【図３】
2008167279.tif 000005
【図４】
2008167279.tif 000006
【図５】
2008167279.tif 000007
【図６】
2008167279.tif 000008
【図７】
2008167279.tif 000009
【図８】
2008167279.tif 000010